(57)【要約】【解決課題】従来の活花固定具、発泡フエノール樹脂で形成される通称、吸水フオームとかオアシスは強度が低くて欠けやすいう欠点がある。また金属製剣山は水盤に合ったサイズを揃える必要がある。よってこれに代わる活花固定具を提供することを目的とする。【解決手段】本発明の活花の茎をさして止める活花の固定具は、おが屑や木材チップを主原料とするキノコ菌床を乾留、炭化させたキノコ菌床炭１に活花または植物を固定するようにしたものであり、また前記キノコ菌床炭１が直方体ブロック状、平板状、ピラミッド型、直方体ブロックの中央部分に窪み６をくりぬいたもの、または砕片７としたものなどであり、更に前記キノコ菌床炭１の表皮剥離面、または切断面４に活花の茎を挿し込み固定するようにしたことを特徴としている。【選択図】図２
2005348760.tif 000002
【特許請求の範囲】
【請求項１】
おが屑や木材チップを主原料とするキノコ菌床を乾留、炭化させたキノコ菌床炭（１）に活花または植物を固定するようにした活花固定具。
【請求項２】
前記キノコ菌床炭（１）が直方体ブロック状、平板状、ピラミッド型、直方体ブロックの中央部分に窪み（６）をくりぬいたもの、または砕片（７）としたものなどである請求項１記載の活花固定具。
【請求項３】
前記キノコ菌床炭（１）の表皮剥離面、または切断面（４）に活花の茎を挿し込み固定するようにした請求項１及び請求項２記載の活花固定具。
【発明の詳細な説明】
【技術分野】
【０００１】
本発明は、活花の茎をさして傾かないように止める活花固定具に関する。
【背景技術】
【０００２】
活花を水盤に固定するには一般に吸水性フオーム（商品名：アクアフオーム、或いはオアシス）など発泡フエノール樹脂製品や、金属性剣山に活花を突き挿して固定しているが、発泡フエノール樹脂製は脆弱で欠けやすく耐久性に乏しく、またその廃棄に当たり環境汚染に配慮を要した。金属製剣山は茎を突き挿すために花が痛みやすかった。
【０００３】
従来の椎茸等のキノコ栽培はキノコ原木に菌を打ち込み育成していたが、近年おが屑や木材チップを主原料としたキノコ菌床を使用する栽培方法に代りつつある。そして使用年数を過ぎて廃棄したキノコ菌床は土地に返す方法で処理している。
【０００４】
そしてかかるキノコ菌床を乾留、炭化させ土壌改良剤、肥料などとして再利用する方法が特許文献１〜特許文献４に開示されている。
【特許文献１】特開２００１−１７２６４２号公報
【特許文献２】特開平４−３２５４８４号公報
【特許文献３】特開２０００−４４９５０号公報
【特許文献４】特開平１０−１７３９０号公報
【発明の開示】
【発明が解決しようとする課題】
【０００５】
従来の活花固定具として使用される発泡フエノール樹脂製の商品名「アクアフオーム」とか「オアシス」は強度が低くて欠けやすく、活花の茎を何回も挿すと形を損ねて再使用が出来なかった。また水盤の水も使用中は汚染防止剤を投入するとか、水の交換などの処置が必要であり、金属製剣山は水盤に合ったサイズを揃える必要がある。
【０００６】
本発明は、かかる従来の活花固定具に代えておが屑や木材チップを主原料とするキノコ菌床を乾留、炭化させたキノコ菌床木炭を活花固定具として用いることを目的とする。
【課題を解決するための手段】
【０００７】
このような課題を解決するため、本発明の活花の茎をさして止める活花の固定具は、請求項１に記載のように、おが屑や木材チップを主原料とするキノコ菌床を乾留、炭化させたキノコ菌床炭１に活花または植物を固定するようにしたものであり、また請求項２に記載のように、前記キノコ菌床炭１が直方体ブロック状、平板状、ピラミッド型、直方体ブロックの中央部分に窪み６をくりぬいたもの、または砕片７としたものなどであり、更に請求項３に記載のように、前記キノコ菌床炭１の表皮剥離面、または切断面４に活花の茎を挿し込み固定するようにしたことを特徴としている。
【発明の効果】
【０００８】
上記のように構成された本発明のキノコ菌床製の木炭を用いた活花固定具は、従来の発泡フェノール樹脂製のものより欠けにくく、かつ加工が容易である。またキノコ菌床炭の表皮剥離面、または切断面に活花の茎を挿し込み固定するようにしたので活花を突き挿す際に茎を傷めず、何回でも活け直しが可能である。
【０００９】
またキノコ栽培後のキノコ菌床も木炭化することで解決でき、環境にも全く悪影響の無い処分法ともなる。木炭には水の浄化作用があり、水盤の水を清浄に保つ効果も認められ、夏場の水中の細菌による腐敗を防止して花の寿命を延ばす効果がある。また、活花では水盤中の花固定具、剣山は外見から隠すものとされるが、本発明の木炭活花固定具は花と並べると自然に感じ、水盤中で景観の一部として見られ、活花におけるアレンジの幅が広くなる効果が期待できる。
【発明を実施するための最良の形態】
【００１０】
本発明実施の最良の形態について説明する。本発明の木炭製活花固定具は、キノコ栽培に使用するおが屑又は木材チップを主原料とするキノコ菌床を乾留、炭化させた木炭を水盤に適したサイズと形状のブロック体に形成し、その表面をカッターで削ぐか、または切断してその内部露出面に活花の茎をさして使用する。
【００１１】
本発明の原材料として使用するキノコ菌床は、おが屑または木材チップ製のキノコ菌床を使用するものであって、かかるキノコ菌床の内部はキノコ菌糸が出す酵素によって、リグニンとセルロースの複合体が分解され、木質が柔らかくなり複雑な菌糸のネットワークにより構造的に安定し、炭化前の菌床内部は白色の綿状物が木材チップを絡めて容易に形崩れしない。このキノコ菌床を炭化すると多孔性で軽量かつ吸水性に富み、硬度は活花の茎を容易に突き刺すことが可能で、ナイフで容易に切断して使用目的に適する形状に加工できることに着目し本発明は為されたものである。
【実施例１】
【００１２】
本発明の活花固定具の原材料となるキノコ菌床木炭の製法について説明する。まず、木材チップやおが屑を素材としたキノコ菌床でキノコを育成し、そのキノコ菌床を十分に乾燥し、炭窯にいれ窯内温度をおよそ３００度で炭化させ、その後７００度〜８００度の高温で精錬し、最後に通風口、煙道口を密閉し、冷却して取り出せば多孔性で保水性に富む木炭となる。そして冷却した木炭を活花用の水盤に合わせて適切なサイズにナイフで切断する。この木炭はナイフで容易に切断でき、通常の活花作業程度の衝撃には十分耐えうる強度を有している。
【００１３】
またこのおが屑または木材チップを主材料とするキノコ菌床を乾留、炭化させた木炭は、宮崎県工業技術センターにおける分析では密度０．１２、比表面積１ｇ当たり３０平方メートル、細孔径分布２０．８（Ａ）の 分析鑑定成績が出ており、本発明の活花固定具として使用するのに適していることも分かった。
【００１４】
かくして生成されたキノコ菌床炭を活花固定具として使用する実施例を図面に基づき説明する。キノコ菌床炭１は表面は固く、内部は柔らかいので図１に示すようにブロック状の該キノコ菌床炭１をカッター２でも容易にカットすることが出来る。従って使用に際しては、カッター２で茎を挿すキノコ菌床炭１の表面を薄く取り除くか、または水盤３に収まる適切な大きさに切断した図２のような平板状のキノコ菌床炭１の表皮剥離面または切断面４に活花５の茎を突き挿して固定する。または図３のようにピラミッド型にカットしたり、図４のように直方体ブロック状にカットし中央部分に窪み６をくりぬき、その窪み６に土や水苔を入れ植物を植えるなど様々な形に容易に形状を変化できる。
【００１５】
また繰り返し使用し多少の形が崩れた後は、さらに細かく砕いてその砕片７を図５のように流木８のくぼみや穴等に押し込み、アレンジメントフラワーの用途に利用できる。そしてこまめな水の補給を行えば切花などを挿して再度の使用が可能になる。
【産業上の利用可能性】
【００１６】
本発明は以上説明したように構成されているので、キノコ栽培に用いたキノコ菌床を木炭化することにより家庭で日常使用できる活花の止具として再利用が図られ、また使用後の廃棄も通常の可燃物として処理可能であるため産業廃棄物処理などの格別の配慮を要しない。
【図面の簡単な説明】
【００１７】
【図１】本発明キノコ菌床炭の切断状況を示す斜視図である。
【図２】キノコ菌床炭を用いた活花固定具の使用状態を示す斜視図である。
【図３】キノコ菌床炭を用いた活花固定具の別の使用状態を示す斜視図である。
【図４】キノコ菌床炭を植木容器とした使用例を示す斜視図である。
【図５】流木の窪みにキノコ菌床炭の細片を入れた使用状態を示す斜視図である。
【符号の説明】
【００１８】
１  キノコ菌床炭
２  カッター
３  水盤
４  表皮剥離面または切断面
５  活花
６  窪み
７  砕片
８  流木
【図１】
2005348760.tif 000003
【図２】
2005348760.tif 000004
【図３】
2005348760.tif 000005
【図４】
2005348760.tif 000006
【図５】
2005348760.tif 000007